(57)【要約】【課題】  アダプタに装着された小径の光ディスクを積層して収納することのできる光ディスク装置を提供する。【解決手段】  本体１３内に積層して設けられ光ディスク１２を収納する複数のトレイ２１には、光ディスク１２の保持穴１２ａに対応した中空部２２ａが設けられている。この中空部２２ａは、光ディスク１２の基準厚みを超えて突出している凸部１４ｂがトレイ２１と干渉しないように形成されているので、例えば、アダプタ１４に収容された小径の光ディスク１２Ｂをトレイ２１に収納する際に、アダプタ１４から凸部１４ｂが突出していても収納することができることになる。【選択図】  図２
2006059483.tif 000002
【特許請求の範囲】
【請求項１】
複数の光ディスクを内部に収納可能な本体と、前記本体の内部において前記各光ディスクを個別に保持する複数のトレイとを備えた光ディスク装置であって、
前記各トレイのそれぞれに、前記各光ディスクの中心穴と略同心の中空部を有し、
前記中空部は前記光ディスクの基準厚み寸法を超える凸部と前記各トレイとが干渉しないように形成された光ディスク装置。
【請求項２】
前記各トレイが前記各光ディスクを厚み方向に押し挟む方向に付勢する付勢手段を有した請求項１記載の光ディスク装置。
【請求項３】
前記付勢手段は、前記トレイと載置された前記光ディスクの接触面とを密着させる付勢力を有した請求項２記載の光ディスク装置。
【請求項４】
前記付勢手段は、外部からの振動を吸収する付勢力を有した請求項２記載の光ディスク装置。
【請求項５】
前記付勢手段は、前記トレイと載置された前記光ディスクの接触面とを密接させる付勢力と外部からの振動を吸収する付勢力との和よりも大きい付勢力を有した請求項２記載の光ディスク装置。
【請求項６】
前記付勢手段は、一端が前記トレイに固定され他端が前記本体に固定されたバネ部材からなる請求項２記載の光ディスク装置。
【発明の詳細な説明】
【技術分野】
【０００１】
本発明は、複数の光ディスクを収納するために複数のトレイを備えた多連奏型の光ディスク装置に関するものである。
【背景技術】
【０００２】
従来より、複数枚の光ディスクを装置の本体内部に収納しておき、所望の光ディスクを選択して記録再生する多連奏型の光ディスク装置が開発されている（例えば特許文献１参照）。
図１５に示すように、この光ディスク装置１００では、本体１０１の前面に、外径１２ｃｍのＣＤやＤＶＤ等の大径ディスク１０２や、外径１２ｃｍの円環形状のアダプタに外径８ｃｍの小径のＣＤが取り付けられた擬似的なディスク等のメディアを挿入するための挿入口１０３が設けられている。本体１０１における挿入口１０３の内側には、搬入方向に直交して搬送ローラ１０４が回転自在に設けられており、挿入口１０３から挿入され外径検知センサ１０５、１０６によって正規のディスクと判断された大径ディスク１０２等を本体内部に搬入するようになっている。
【０００３】
搬送ローラ１０４の後方（図１５において右側）には、複数のトレイ１０７が上下方向に積層して設けられている。このトレイ１０７の後方には、先端にディスク１０２を把持して回転するターンテーブル１０８を有する回動アーム１１０が、回動軸１０９を中心として回動自在に設けられている。回動アーム１１０には、図示省略のピックアップが往復移動自在に設けられており、回動アーム１１０を記録再生位置に回動して位置決めした後に、ピックアップを往復移動させることによりディスク１０２に対して記録再生を行うようになっている。
【特許文献１】特開２００３−３３８１１２号公報（図４）
【発明の開示】
【発明が解決しようとする課題】
【０００４】
ところで、８ｃｍＣＤを１２ｃｍＣＤと同様に扱うための８ｃｍＣＤ用アダプタでは、円盤状の本体の内周部に８ｃｍＣＤを保持可能な保持部が複数設けられており、各保持部は８ｃｍＣＤの周縁における所定個所を厚み方向に挟持するとともに、８ｃｍＣＤの周縁を中心に向かって弾性押圧することにより８ｃｍＣＤを保持している。このため、８ｃｍアダプタのディスク保持爪とトレイが接触する構成では、８ｃｍアダプタのディスク保持爪の厚みだけ複数のトレイを積層した際の厚みが増加する。このため、光ディスク装置の薄型化を実現することが困難であるという問題があった。
【０００５】
本発明は、従来の課題を解決するためになされたものであり、アダプタに装着された小径の光ディスクを収納しても、光ディスク装置の薄型化を実現することのできる光ディスク装置を提供することを目的とする。
【課題を解決するための手段】
【０００６】
本発明の光ディスク装置は、複数の光ディスクを内部に収納可能な本体と、前記本体の内部において前記各光ディスクを個別に保持する複数のトレイとを備えた光ディスク装置であって、前記トレイのそれぞれに、前記各光ディスクの中心穴と略同心の中空部を有し、前記中空部は前記光ディスクの基準厚み寸法を超える凸部と前記各トレイとが干渉しないように形成された構成を有している。
【０００７】
この構成により、本体内に積層して設けられ光ディスクを収納する複数のトレイには、光ディスクの保持穴に対応した中空部が設けられている。この中空部は、光ディスクの基準厚みを超えて突出している凸部とトレイとが干渉しないように形成されているので、例えば、凸部が突出しているアダプタに装着された小径の光ディスクを収納しても、光ディスク装置の薄型化を実現することができることになる。
【０００８】
また、本発明にかかる光ディスク装置は、前記各トレイが前記各光ディスクを厚み方向に押し挟む方向に付勢する付勢手段を有した構成を有している。
【０００９】
この構成により、光ディスクとトレイとの間の隙間を強制的に除去することができるので、さらに光ディスク装置の薄型化を図ることができる。
【００１０】
また、本発明にかかる光ディスク装置は、前記付勢手段は、前記トレイと載置された前記光ディスクの接触面とを密着させる付勢力を有した構成を有している。
【００１１】
この構成により、収納された光ディスクが反っていても、付勢手段によって反りが矯正された状態でトレイが保持することができるので、光ディスクが反った分の厚みを除去することができ、挿入された光ディスクの反りに影響されることのない光ディスク装置の薄型化を実現することとなる。
【００１２】
また、本発明にかかる光ディスク装置は、前記付勢手段は、外部からの振動を吸収する付勢力を有した構成を有している。
【００１３】
この構成により、光ディスク装置の薄型化が実現できるとともに振動対策の部品を別途追加することなく、外部からの振動を受けても安定動作を行うことができる光ディスク装置を提供することができることとなる。
【００１４】
また、本発明にかかる光ディスク装置は、前記付勢手段は、前記トレイと載置された前記光ディスクの接触面とを密接させる付勢力と外部からの振動を吸収する付勢力との和よりも大きい付勢力を有した構成を有している。
【００１５】
この構成により、挿入された光ディスクの反りに影響されることのない光ディスク装置の薄型化を実現することができるとともに、外部からの振動を受けても安定動作を行うことができる光ディスク装置を提供することができることになる。
【００１６】
また、本発明にかかる光ディスク装置は、前記付勢手段は、一端が前記トレイに固定され他端が前記本体に固定されたバネ部材からなる構成を有している。
【００１７】
この構成により、バネ部材からなる簡単な構成で付勢手段を実現することができ、外部からの振動を受けても安定動作を行うことができる信頼性の高い、薄型の光ディスク装置を提供することができる。
【発明の効果】
【００１８】
本発明は、光ディスクの保持穴に対応したトレイの中空部を、光ディスクの基準厚みを超えて突出している凸部とトレイとが干渉しないように形成しているので、例えば、アダプタに装着された小径の光ディスクを収納しても、光ディスク装置の薄型化を実現することができるという効果を有する光ディスク装置を提供することができるものである。
【発明を実施するための最良の形態】
【００１９】
以下、本発明の実施形態の光ディスク装置について、図面を用いて説明する。
図１には、本発明の実施形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００２０】
図２には、カーオーディオ装置１に内蔵されている本発明の実施形態である光ディスク装置１０の、図１中II−II位置から見た平面図が示されている。
図２および図３に示すように、光ディスク装置１０は、複数の光ディスク１２を内部に収納可能な本体１３と、この本体１３の内部において各光ディスク１２を個別に保持する複数のトレイ２１とを備え、各トレイ２１に、各光ディスク１２の中心穴である保持穴１２ａに対応した中空部２２ａが設けられている。この中空部２２ａは光ディスク１２の基準厚み寸法Ｔを超える凸部（例えば、図５において後述する凸部であるディスク保持爪１４ｂ）とトレイ２１とが干渉しないように形成されている。
なお、光ディスク１２とは、通常の外径１２ｃｍの大径の光ディスク１２Ａおよび外径１２ｃｍの光ディスクに相当するアダプタ１４に外径８ｃｍの小径のディスク１２Ｂを収納したアダプタ付光ディスクを総称するものである。
【００２１】
図２に示すように、本体１３内部におけるトレイ２１の近傍（図２中右側）には、先端に光ディスク１２を挟持して回転するターンテーブル３１を有する回動アーム３０が、支軸３２を中心として回動自在に設けられている。回動アーム３０のサスシャーシ３３には、図示省略の光ヘッドを備えたピックアップ３４が支軸３２とターンテーブル３１の中心とを結ぶ方向に沿って往復移動自在に設けられており、駆動モータ３５によって回転されるリードスクリュ３６によって移動するようになっている。
なお、挿脱口１１の本体１３内側には、上下対を成す搬送ローラ１６が設けられており、挿脱口１１に挿入された光ディスク１２を搬入したり、記録再生が完了した光ディスク１２を挿脱口１１から排出するようになっている。
【００２２】
図３に示すように、本体１３の内部には、複数枚のトレイ２１が所定間隔で積層して設けられており、各トレイ２１を互いに押し挟む方向に付勢する付勢手段としてスプリングのようなバネ部材１７がディスク収納装置２０のトレイ２１の外周縁に沿って複数箇所設けられている。
これにより、外部から振動が印加された場合でも、安定した動作を確保することができることになる。また、トレイ２１を密着させることができるので、光ディスク１２の反り量が大きい場合には、トレイ２１も、反り量を強制的に小さくすることができ、光ディスク装置１０の薄型化を図ることができる。
【００２３】
図４にはトレイ２１が示されている。トレイ２１の中央部には、光ディスク１２のラベル面側に面接触して光ディスク１２を保持するための円形の保持部２２ｂが設けられており、この保持部２２ｂ近傍に光ディスク１２の記録面側から光ディスク１２を挟持するための図示しない外周挟持部材を有している。すなわち、トレイ２１と外周挟持部材とで光ディスク１２を挟み、トレイ２１に収納しているものである。さらに、この保持部２２ｂには、円形の中空部２２ａが切りかかれている。また、保持部２２ｂからアーム状に突出したアーム部２３を有しており、アーム部２３の先端には、ガイドピン１５に沿って上下移動するためのガイド穴２４が設けられている。トレイ２１の外周縁の所定位置には、前述したバネ部材１７を係止する係止部２５が設けられており、バネ部材１７により積層されている各トレイ２１を互いに押し挟む方向に付勢されている。
【００２４】
図５および図６には、８ｃｍＣＤ１２Ｂを１２ｃｍＣＤ１２Ａと同様に取り扱うためのアダプタ１４が示されている。
アダプタ１４は１２ｃｍＣＤと略等しい外径を有する円形であり、中央には８ｃｍＣＤ１２Ｂを嵌め込むために８ｃｍＣＤ１２Ｂの外径よりもわずかに大きめの円形のディスク嵌入孔１４ａが設けられている。このディスク嵌入孔１４ａの内周面には、８ｃｍＣＤ１２Ｂをアダプタ１４に取り付けるための凸部であるディスク保持爪１４ｂが表裏両面から交互に設けられている。
従って、８ｃｍＣＤ１２Ｂをアダプタ１４に取り付ける際には、８ｃｍＣＤ１２Ｂをアダプタ１４の切欠き１４ａに嵌め込み、表裏のディスク保持爪１４ｂの間に嵌める。このため、ディスク保持爪１４ｂ位置では、アダプタ１４の厚さＴ１が基準厚さＴよりも厚くなっており、前述した凸部を形成している。
【００２５】
図７には、トレイ２１の保持部２２ｂにアダプタ１４付の８ｃｍＣＤ１２Ｂを収納した状態が示されている。トレイ２１の中央部に設けられている中空部２２ａは、光ディスク１２の基準厚み寸法Ｔを超えるディスク保持爪１４ｂとトレイ２１とが干渉しないように形成されている。すなわち、例えば中空部２２ａの内径を、アダプタ１４のディスク嵌入孔１４ａに取り付けられているディスク保持爪１４ｂを内包する大きさに設定する。これにより、アダプタ１４付の８ｃｍＣＤ１２Ｂをトレイ２１に収納すると、図８に示すように、アダプタ１４のディスク保持爪１４ｂはすべてディスク嵌入孔１４ａに納まることになる。
また、複数のトレイからなるトレイ群の最下段のトレイには、このトレイ群を上下に昇降するためのトレイ昇降部材が設けられている。このトレイ昇降部材は、本体１３(筐体)に固定された垂直方向の軸などに沿って図示しない動力を用いて昇降動作可能になっており、トレイ群の高さ方向位置を所定位置に保持するものである。
【００２６】
以上のように構成された、本実施の形態にかかる光ディスク装置１０の動作について説明する。
(１)光ディスク１２のローディング動作
まず、光ディスク１２に対するディスク装置のローディング動作について図１、図２、図３を用いて説明する。なお、本実施の形態に係るディスク装置は、中心部に８ｃｍディスク１２Ｂを保持したアダプタ１４を光ディスク１２と同様に取り扱うので、中心部に８ｃｍディスク１２Ｂを保持したアダプタ１４に対するディスク装置の動作については、説明を省略する。
光ディスク１２のディスク装置へのローディングを行う場合には、図示していない動力源を動作させることにより、複数のトレイを本体１３に対して昇降動作させ、複数のトレイを所定のディスク搬送高さに搬送する。
【００２７】
次に、所定のディスク搬送高さに搬送されたトレイをローディングされる光ディスク１２の反り、または中心部に８ｃｍディスク１２Ｂを保持したアダプタ１４のディスク保持爪１４ｂによるローディング動作への支障が起きないように、図示していない動力源の動作によって、その他のトレイとの間隔を確保するようにトレイ開口動作を行う。
また、光ディスク１２のローディングを可能にするように、各トレイに設けた図示していないディスク外周保持部材を解除状態に動作させる。
上述のような動作により、ディスク装置は光ディスク１２の挿入待ち状態になる。
【００２８】
次に、光ディスク１２が利用者によってディスク装置に設けた本体１３のディスク挿脱口１１の内部に挿入されると、図示していない検出手段によってディスク装置内部に光ディスク１２が挿入されたことを検出し、ディスク装置は動力源の動作を開始させて、ローラ部材１６、１６の回転を開始する。
光ディスク１２が利用者によってさらに挿入されると、光ディスク１２とローラ部材１６が接触することによって、光ディスク１２のオートローディングが開始されて、光ディスク１２はローディング完了位置まで搬送される。
【００２９】
光ディスク１２がローディング完了位置まで搬送されると、図示していない動力源を動作させることにより、各トレイに設けた図示していないディスク外周保持部材で光ディスク１２の外周部を保持するとともに、そのトレイとそのトレイに隣接する他のトレイとの間隔を狭くするトレイ閉口動作を行う。
この動作により、光ディスク１２のトレイへの収納（ローディング）を完了する。
なお、光ディスク１２のローディング完了の検出は、図示していない検出手段によって行う。
複数枚の光ディスク１２を各トレイに収納する場合には、上述の動作を繰り返すことにより、複数枚の光ディスク１２を各トレイに収納する動作（ローディング動作）を行う。
【００３０】
（２）光ディスク１２のイジェクト動作
次に、光ディスク１２に対するディスク装置のイジェクト動作について図１、図２、図３を用いて説明する。なお、本実施の形態に係るディスク装置は、中心部に８ｃｍディスク１２Ｂを保持したアダプタ１４を光ディスク１２と同様に取り扱うので、中心部に８ｃｍディスク１２Ｂを保持したアダプタ１４に対するディスク装置の動作については、説明を省略する。
光ディスク１２のディスク装置へのローディングを行う場合には、図示していない動力源を動作させることにより、トレイ群を本体１３に対して昇降動作させ、所定のディスク搬送高さに搬送する。
【００３１】
次に、図示していない動力源を動作させることにより、イジェクトする光ディスク１２を保持しているトレイに設けた図示していないディスク外周保持部材を回避させ、イジェクトする光ディスク１２の保持を解除するとともに、所定のディスク搬送高さに搬送されたトレイとその他のトレイとの間の間隔を一定の隙間以上の隙間を確保するようにトレイ開口動作を行う。
【００３２】
次に、ディスク装置は動力源の動作を開始させて、搬送ローラ１６の回転を開始するとともに、図示していない動力源や動力手段を用いて、収納されていた光ディスク１２をディスクイジェクト方向に搬送する。そして、光ディスク１２と搬送ローラ１６が接触することによって、光ディスク１２のオートイジェクトを行い、光ディスク１２はイジェクト完了位置まで搬送される。光ディスク１２がイジェクト完了位置まで搬送されると、動力源の動作を停止させることで搬送ローラ１６の回転、つまり光ディスク１２の搬送を停止させる。
なお、光ディスク１２のイジェクト完了の検出は、図示していない検出手段によって行う。
複数枚の光ディスク１２をイジェクトする場合には、上述の動作を繰り返すことにより、複数枚の光ディスク１２のイジェクト動作を行う。
【００３３】
（３）光ディスク１２の記録再生動作
次に、光ディスク１２に対するディスク装置の記録再生動作について図１、図２、図１０、図１１、図１２、図１３、図１４を用いて説明する。図１０は本発明の実施の形態におけるディスク記録再生部である回動アーム３０のスイング動作時のディスク装置要部の側面図、図１１は本発明の実施の形態におけるディスク記録再生時のディスク装置要部の上面図、図１２は本発明の実施の形態におけるディスク記録再生部のスイング動作完了時のディスク装置要部の側面図、図１３は本発明の実施の形態におけるディスククランプ時のディスク装置要部の側面図、図１４は本発明の実施の形態におけるディスク記録再生時のディスク装置要部の側面図である。なお、本実施の形態に係るディスク装置は、中心部に８ｃｍディスク１２Ｂを保持したアダプタ１４を光ディスク１２と同様に取り扱うので、中心部に８ｃｍディスク１２Ｂを保持したアダプタ１４に対するディスク装置の動作については、説明を省略する。
【００３４】
まず、図１、図３に示すように、図示していない動力源を動作させることにより、トレイ群を本体１３に対して昇降動作させ、所定のディスク（記録再生ディスク１２Ｃ）をディスク搬送高さに搬送する。
次に、図１０に示すように、図示していない動力源を動作させることにより、記録再生ディスク１２Ｃより装置下側の下トレイ２１ｂや中間トレイ２１ｃや収納された光ディスク１２を装置下側に搬送する。これにより、回動アーム３０をディスク収納装置２０の中に進入可能にする。
【００３５】
なお、図１０の状態では、記録再生ディスク１２Ｃは中間トレイ２１ｃに配置された図示していないディスク外周部保持部材により保持されており、記録再生ディスク１２Ｃの装置下方向への変位は規制されている。
また、上トレイ２１ａにも中間トレイ２１ｃ同様に図示していないディスク外周保持部材が配置され、ディスク収納装置２０の最上段に収納された光ディスク１２を記録再生する場合にも同様の動作を行う。
【００３６】
次に、図１１、図１２に示すように、図示していない動力源を動作させることにより、回動アーム３０を本体１３に対して、支軸３２を支点に回動させる。この動作により、回動アーム３０のディスク記録再生位置への搬送を完了する。
なお、上トレイ２１ａや中間トレイ２１ｃに配置されたディスク外周保持部材は、回動アーム３０の回動動作範囲を逃げた位置に構成されている。
上述のように上トレイ２１ａや中間トレイ２１ｃ、図示していないディスク外周保持部材を配置することにより、ディスク収納装置２０の薄型化と回動アーム３０の回動動作範囲を両立しつつ、上トレイ２１ａや中間トレイ２１ｃや下トレイ２１ｂをディスク収納装置２０に収納された光ディスク１２の外径全周と接触するように構成されている。
【００３７】
次に、図１３に示すように、図示していない動力源を動作させることにより、記録再生ディスク１２Ｃを保持した中間トレイ２１ｃを装置下側に搬送し、記録再生ディスク１２Ｃをターンテーブル３１上に搬送するとともに、図示していないディスククランプ手段により記録再生ディスク１２Ｃのターンテーブル３１上への保持を完了する。
なお、図１３の状態では、記録再生ディスク１２Ｃの１段上に収納された光ディスク１２は中間トレイ２１ｃに配置された図示していないディスク外周保持部材により保持されており、光ディスク１２の装置下方向への変位も規制されている。
【００３８】
次に、図１４に示すように、図示していない動力源を動作させることにより、中間トレイ２１ｃに配置した図示していないディスク外周保持部材を回避させることで、記録再生ディスク１２Ｃの保持を解除するとともに、記録再生ディスク１２Ｃを保持していた中間トレイ２１ｃを装置上側に搬送し、記録再生ディスク１２Ｃの記録再生を可能にする。この動作により、ディスク装置は記録再生状態になる。
なお、記録再生ディスク１２Ｃをディスク収納装置２０に収納する場合には、上述のような記録再生動作の逆の動作を行う。
【００３９】
このような本発明の実施の形態の光ディスク装置１０によれば、本体１３内に積層して設けられ光ディスク１２を収納する複数のトレイ２１には、光ディスク１２の保持穴１２ａに対応した中空部２２ａが設けられており、この中空部２２ａは、光ディスク１２の基準厚みＴを超えて突出しているディスク保持爪１４ｂがトレイ２１と干渉しないように大径に形成されている。このため、アダプタ１４に収容された小径の８ｃｍＣＤ１２Ｂをトレイに収納する際に、アダプタから凸部が突出していても収納することができることになる。これにより、トレイ２１の薄型化を図ることができ、光ディスク装置１０のコンパクト化を図ることができる。
【００４０】
なお、前述した実施形態にかかる光ディスク装置１０においては、ラジオ２やカセットテープ再生装置３等を備えたカーオーディオ装置１に内蔵されている場合について説明したが、その他、光ディスク装置１０が単独の場合についても同様に実施可能である。
また、前述した実施形態にかかる光ディスク装置１０においては、中空部２２ａとしてディスク保持爪１４ｂをすべて内包する大径の円を切り欠いたが、このほか、図９に示すように、ディスク保持爪１４ｂに対応した切欠き２６を設けるようにしてもよい。
【産業上の利用可能性】
【００４１】
以上のように、本発明に係る光ディスク装置は、光ディスクの保持穴に対応したトレイの中空部を、光ディスクの基準厚みを超えて突出している凸部がトレイと干渉しないように形成しているので、例えば、アダプタに装着された小径の光ディスクを収納しても、光ディスク装置の薄型化を実現することができるという効果を有し、複数の光ディスクを収納するために複数のトレイを備えた多連奏型の光ディスク装置に関する光ディスク装置等として有用である。
【図面の簡単な説明】
【００４２】
【図１】本発明の実施形態の光ディスク装置を内蔵するカーオーディオ装置の全体斜視図
【図２】本発明の実施の形態である光ディスク装置の図１中II−II位置から見た平面図
【図３】図２中II方向から見た側面図
【図４】トレイの平面図
【図５】（Ａ）８ｃｍＣＤ用アダプタの平面図  （Ｂ）８ｃｍＣＤ用アダプタの断面図
【図６】図５（Ｂ）中VI部分の拡大断面図
【図７】８ｃｍＣＤを取り付けたアダプタを収納したトレイの平面図
【図８】図７中VII部分の拡大断面図
【図９】トレイの別の例を示す平面図
【図１０】本発明の実施の形態におけるディスク記録再生部のスイング動作時のディスク装置要部の側面図
【図１１】本発明の実施の形態におけるディスク記録再生時のディスク装置要部の上面図
【図１２】本発明の実施の形態におけるディスク記録再生部のスイング動作完了時のディスク装置要部の側面図
【図１３】本発明の実施の形態におけるディスククランプ時のディスク装置要部の側面図
【図１４】本発明の実施の形態におけるディスク記録再生時のディスク装置要部の側面図
【図１５】従来の光ディスク装置の平面図
【符号の説明】
【００４３】
１０    光ディスク装置
１２    光ディスク
１２ａ  保持穴（中心穴）
１３    本体
１４    ディスク保持爪（凸部）
１４ｂ  ディスク保持爪（凸部）
１７    バネ部材（付勢手段）
２１    トレイ
２２ａ  中空部
Ｔ      基準厚み寸法
【図１】
2006059483.tif 000003
【図２】
2006059483.tif 000004
【図３】
2006059483.tif 000005
【図４】
2006059483.tif 000006
【図５】
2006059483.tif 000007
【図６】
2006059483.tif 000008
【図７】
2006059483.tif 000009
【図８】
2006059483.tif 000010
【図９】
2006059483.tif 000011
【図１０】
2006059483.tif 000012
【図１１】
2006059483.tif 000013
【図１２】
2006059483.tif 000014
【図１３】
2006059483.tif 000015
【図１４】
2006059483.tif 000016
【図１５】
2006059483.tif 000017